(57)【要約】【課題】  磁気回路のギャップ部への異物混入による不具合発生の可能性を排除した防塵構造を採用するとともに音響性能の確保及び向上を図る。【解決手段】  ヨーク、マグネット、プレート及びギャップ部から構成される磁気回路と、そのギャップ部に配置されたボイスコイルと、そのボイスコイルを保持するボイスコイルボビンを支持するとともに内装材との結合を実現するカプラーと、磁気回路に対してカプラーを軸方向に振動可能にする板バネと、を具備する内装材直接駆動スピーカ用エキサイタにおいて、カプラーから磁気回路の背面までを覆うダンパーを設ける。あるいは、カプラーから筒を突出させ、磁気回路に蓋を設け、筒と蓋との摺動部分に潤滑剤を塗布する。あるいは、板バネとボイスコイルボビンとの間にダンパーを設ける。あるいは、板バネとカプラーとの間にクッション材を設ける。【選択図】      図５
2005130186.tif 000002
【特許請求の範囲】
【請求項１】
碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、
前記ギャップ部に配置されたボイスコイルと、
前記ボイスコイルを保持するボイスコイルボビンを支持するとともに、内装材との結合を実現するカプラーと、
前記磁気回路に対して前記カプラーを軸方向に振動可能にする板バネと、
を具備する内装材直接駆動スピーカ用エキサイタにおいて、
前記カプラーから前記磁気回路の背面までを覆うダンパーを設けたことを特徴とする内装材直接駆動スピーカ用エキサイタ。
【請求項２】
前記ダンパーが前記板バネよりも柔軟であることを特徴とする、請求項１に記載の内装材直接駆動スピーカ用エキサイタ。
【請求項３】
碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、
前記ギャップ部に配置されたボイスコイルと、
前記ボイスコイルを保持するボイスコイルボビンを支持するとともに、内装材との結合を実現するカプラーと、
前記磁気回路に対して前記カプラーを軸方向に振動可能にする板バネと、
を具備する内装材直接駆動スピーカ用エキサイタにおいて、
前記カプラーから筒を突出させ、前記磁気回路に蓋を設け、前記筒と前記蓋との摺動部分に潤滑剤を塗布したことを特徴とする内装材直接駆動スピーカ用エキサイタ。
【請求項４】
碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、
前記ギャップ部に配置されたボイスコイルと、
前記ボイスコイルを保持するボイスコイルボビンを支持するとともに、内装材との結合を実現するカプラーと、
前記磁気回路に対して前記カプラーを軸方向に振動可能にする板バネと、
を具備する内装材直接駆動スピーカ用エキサイタにおいて、
前記板バネと前記ボイスコイルボビンとの間にダンパーを設けたことを特徴とする内装材直接駆動スピーカ用エキサイタ。
【請求項５】
前記ダンパーが前記板バネよりも柔軟であることを特徴とする、請求項４に記載の内装材直接駆動スピーカ用エキサイタ。
【請求項６】
前記ダンパーを設けたことに応じて前記カプラーの軽量化が図られていることを特徴とする、請求項４に記載の内装材直接駆動スピーカ用エキサイタ。
【請求項７】
碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、
前記ギャップ部に配置されたボイスコイルと、
前記ボイスコイルを保持するボイスコイルボビンを支持するとともに、内装材との結合を実現するカプラーと、
前記磁気回路に対して前記カプラーを軸方向に振動可能にする板バネと、
を具備する内装材直接駆動スピーカ用エキサイタにおいて、
前記板バネと前記カプラーとの間にクッション材を設けたことを特徴とする内装材直接駆動スピーカ用エキサイタ。
【請求項８】
前記クッション材が前記板バネよりも柔軟であることを特徴とする、請求項７に記載の内装材直接駆動スピーカ用エキサイタ。
【請求項９】
前記ボイスコイルボビンの底当りが防止されるように前記クッション材の発泡倍率が調整されていることを特徴とする、請求項７に記載の内装材直接駆動スピーカ用エキサイタ。
【請求項１０】
前記クッション材を設けたことに応じて前記カプラーの軽量化が図られていることを特徴とする、請求項７に記載の内装材直接駆動スピーカ用エキサイタ。
【発明の詳細な説明】
【技術分野】
【０００１】
本発明は、内装材直接駆動スピーカ用エキサイタに関し、より詳細には、かかるエキサイタの防塵構造に関する。
【背景技術】
【０００２】
スピーカの省スペース化を図るべく、従来のコーン型スピーカに代えて、ＮＸＴ方式（英国の New Transducers Limited 社によって開発された技術）によるスピーカが採用されるようになってきている。ＮＸＴ方式のスピーカは、内装材（フラットパネル）の表面を振動させることで空気を振動させて音を発生させる。そのため、エンクロージャを必要としないことから省スペース化が図られるとともに、広い範囲に音を拡散させることが可能となる（例えば、下記特許文献１参照）。
【０００３】
かかる内装材直接駆動スピーカを実現すべく内装材を振動させるエキサイタは、磁気回路、ボイスコイル、板バネ、カプラー、等を備えて構成される。しかしながら、従来のエキサイタにおいては、ボイスコイルが配置される磁気回路のギャップに対して防塵対策が施されておらず、ギャップへの異物の混入による不具合が発生する可能性がある。
【０００４】
また、音質の向上のために、形状の簡素化、余肉の削除などによりカプラーの軽量化を図ると、異物が板バネの前側及び後側の両方から混入することにより、さらに防塵対策が困難となる。
【０００５】
【特許文献１】特開2003−143690号公報
【発明の開示】
【発明が解決しようとする課題】
【０００６】
本発明は、上述した問題点に鑑みてなされたものであり、その目的は、磁気回路のギャップ部への異物混入による不具合発生の可能性を排除した防塵構造を採用するとともに音響性能の確保及び向上を図った内装材直接駆動スピーカ用エキサイタを提供することにある。
【課題を解決するための手段】
【０００７】
上記目的を達成するために、本発明の第一の面によれば、碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、前記ギャップ部に配置されたボイスコイルと、前記ボイスコイルを保持するボイスコイルボビンを支持するとともに、内装材との結合を実現するカプラーと、前記磁気回路に対して前記カプラーを軸方向に振動可能にする板バネと、を具備する内装材直接駆動スピーカ用エキサイタにおいて、前記カプラーから前記磁気回路の背面までを覆うダンパーを設けたことを特徴とする内装材直接駆動スピーカ用エキサイタが提供される。
【０００８】
また、本発明の第二の面によれば、前記第一の面によるエキサイタにおいて、前記ダンパーは前記板バネよりも柔軟である。
【０００９】
また、本発明の第三の面によれば、碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、前記ギャップ部に配置されたボイスコイルと、前記ボイスコイルを保持するボイスコイルボビンを支持するとともに、内装材との結合を実現するカプラーと、前記磁気回路に対して前記カプラーを軸方向に振動可能にする板バネと、を具備する内装材直接駆動スピーカ用エキサイタにおいて、前記カプラーから筒を突出させ、前記磁気回路に蓋を設け、前記筒と前記蓋との摺動部分にダンプ剤を塗布したことを特徴とする内装材直接駆動スピーカ用エキサイタが提供される。
【００１０】
また、本発明の第四の面によれば、碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、前記ギャップ部に配置されたボイスコイルと、前記ボイスコイルを保持するボイスコイルボビンを支持するとともに、内装材との結合を実現するカプラーと、前記磁気回路に対して前記カプラーを軸方向に振動可能にする板バネと、を具備する内装材直接駆動スピーカ用エキサイタにおいて、前記板バネと前記ボイスコイルボビンとの間にダンパーを設けたことを特徴とする内装材直接駆動スピーカ用エキサイタが提供される。
【００１１】
また、本発明の第五の面によれば、前記第四の面によるエキサイタにおいて、前記ダンパーは前記板バネよりも柔軟である。
【００１２】
また、本発明の第六の面によれば、前記第四の面によるエキサイタにおいて、前記ダンパーを設けたことに応じて前記カプラーの軽量化が図られている。
【００１３】
また、本発明の第七の面によれば、碗状のヨーク、前記ヨーク内に配置された板状のマグネット、前記マグネットの上側に配置されたプレート、及び前記ヨークの内側壁と前記プレートの外側壁との間に形成されるギャップ部、から構成される磁気回路と、前記ギャップ部に配置されたボイスコイルと、前記ボイスコイルを保持するボイスコイルボビンを支持するとともに、内装材との結合を実現するカプラーと、前記磁気回路に対して前記カプラーを軸方向に振動可能にする板バネと、を具備する内装材直接駆動スピーカ用エキサイタにおいて、前記板バネと前記カプラーとの間にクッション材を設けたことを特徴とする内装材直接駆動スピーカ用エキサイタが提供される。
【００１４】
また、本発明の第八の面によれば、前記第七の面によるエキサイタにおいて、前記クッション材は前記板バネよりも柔軟である。
【００１５】
また、本発明の第九の面によれば、前記第七の面によるエキサイタにおいて、前記ボイスコイルボビンの底当りが防止されるように前記クッション材の発泡倍率が調整されている。
【００１６】
また、本発明の第十の面によれば、前記第七の面によるエキサイタにおいて、前記クッション材を設けたことに応じて前記カプラーの軽量化が図られている。
【発明の効果】
【００１７】
本発明によれば、磁気回路のギャップ部に異物が混入する可能性が排除され、かかる混入に伴う不具合が防止される。また、本発明の第二、第五及び第八の面によれば、更に、音響性能の確保が図られ、本発明の第六及び第十の面によれば、音響性能の改善が図られる。また、本発明の第九の面によれば、ボイスコイルボビンの底当りによる不具合の発生の可能性が排除される。
【発明を実施するための最良の形態】
【００１８】
以下、添付図面を参照して本発明の実施形態について説明する。最初に、本発明についての理解を容易にするために、本発明による防塵構造を採用していない内装材直接駆動スピーカ用エキサイタを参考例として説明する。
【００１９】
図１及び図２は、第一の参考例に係る内装材直接駆動スピーカ用エキサイタを示す図であって、図１（Ａ）は正面図、図１（Ｂ）は背面図、図２は図１（Ａ）の切断線Ｘ−Ｘに沿う部分断面図である。
【００２０】
これらの図において、符号１２は碗状のヨーク、符号１４はヨーク１２内に配置された板状のマグネット、符号１６はマグネット１２の上側に配置されたプレート、をそれぞれ示す。また、符号１８は、ヨーク１２の内側壁とプレート１６の外側壁との間に形成されるギャップ部を示す。そして、ヨーク１２、マグネット１４、プレート１６及びギャップ部１８によって磁気回路１０が構成される。
【００２１】
また、符号２０で示されるのは、磁気回路１０のギャップ部１８に配置されたボイスコイルである。そして、符号３０で示されるカプラーは、ボイスコイル２０を保持するボイスコイルボビン２２を支持するとともに、図示しない内装材との結合を実現するものである。さらに、磁気回路１０に対してカプラー３０を軸方向に振動可能にする板バネ４０が設けられている。
【００２２】
図１及び図２に示されるエキサイタにおいては、図２の矢印Ｐに示されるように、板バネ４０の間隙によってゴミ進入経路が形成されてしまうため、磁気回路１０のギャップ部１８に異物が混入し、不具合が発生する可能性がある。
【００２３】
図３及び図４は、第二の参考例に係る内装材直接駆動スピーカ用エキサイタを示す図であって、図３（Ａ）は平面図、図３（Ｂ）は正面図、図３（Ｃ）は背面図、図３（Ｄ）は底面図、図４は図３（Ｂ）の切断線Ｘ−Ｘに沿う断面図である。
【００２４】
これらの図において、符号１１０は磁気回路、符号１１２はヨーク、符号１１４はマグネット、符号１１６はプレート、符号１１８はギャップ部、をそれぞれ示す。また、符号１２０はボイスコイル、符号１２２はボイスコイルボビンを示す。さらに、符号１３０はカプラー、符号１４０は板バネを示す。
【００２５】
図３及び図４に示されるエキサイタにおいても、図１及び図２に示されるエキサイタと同様に、図４の矢印Ｐに示されるゴミ進入経路を介して磁気回路１１０のギャップ部１１８に異物が混入し、不具合が発生する可能性がある。
【００２６】
また、図３及び図４に示されるエキサイタは、これらの図に示されるとおり、音質の向上を目的としてカプラーの軽量化を図るべく、その形状の簡素化、余肉の削除などが施されている。したがって、カプラー１３０の孔によって、図４の矢印Ｑに示されるようなゴミ進入経路も形成されてしまうため、磁気回路１１０のギャップ部１１８に異物が混入して不具合が発生する可能性が高くなる。
【００２７】
本発明は、上述した参考例の不具合を解消するための防塵構造を提供するものである。図５は、本発明による内装材直接駆動スピーカ用エキサイタの第一実施形態を示す部分断面図である。
【００２８】
磁気回路２１０を構成するヨーク２１２、マグネット２１４、プレート２１６及びギャップ部２１８は、前述した第一の参考例におけるものと同様である。また、ボイスコイル２２０、ボイスコイルボビン２２２、カプラー２３０及び板バネ２４０も、第一の参考例と同様に設けられる。
【００２９】
図５のエキサイタにおいては、さらに、カプラー２３０から磁気回路２１０の背面までを覆う碗状のダンパー２５０が設けられている。したがって、図２の矢印Ｐに示されるようなゴミ進入経路が形成されることがなく、磁気回路２１０のギャップ部２１８に異物が混入する可能性が排除される。
【００３０】
ここで、ダンパー２５０は、板バネ２４０よりも柔軟なものとされている。したがって、ダンパー２５０を追加したことがエキサイタの振動に対して影響を与えることはなく、音響性能は追加前と同様に確保されることとなる。
【００３１】
図６は、本発明による内装材直接駆動スピーカ用エキサイタの第二実施形態を示す部分断面図である。磁気回路３１０を構成するヨーク３１２、マグネット３１４、プレート３１６及びギャップ部３１８は、前述した第一の参考例におけるものと同様である。また、ボイスコイル３２０、ボイスコイルボビン３２２、カプラー３３０及び板バネ３４０も、第一の参考例と同様に設けられる。なお、ボトム部分（ヨーク）に設けられたエア抜き用の孔に対応してヨークの外壁には防塵用の紗が張られている。
【００３２】
図６のエキサイタにおいては、カプラー３３０から筒３５０が突出せしめられている。また、磁気回路３１０には、金属又は樹脂による蓋３６０が設けられている。そして、筒３５０と蓋３６０との摺動部分には、潤滑剤が塗布されている。したがって、潤滑剤を介して、蓋３６０が筒３５０の内部を上下動することとなる。
【００３３】
かくして、この第二実施形態においても、第一実施形態と同様に、図２の矢印Ｐに示されるようなゴミ進入経路が形成されることがなく、磁気回路３１０のギャップ部３１８に異物が混入する可能性が排除される。
【００３４】
図７は、本発明による内装材直接駆動スピーカ用エキサイタの第三実施形態を示す部分断面図である。磁気回路４１０を構成するヨーク４１２、マグネット４１４、プレート４１６及びギャップ部４１８は、前述した第二の参考例におけるものと同様である。また、ボイスコイル４２０、ボイスコイルボビン４２２、カプラー４３０及び板バネ４４０も、第二の参考例と同様に設けられる。
【００３５】
図７のエキサイタにおいては、板バネ４４０とボイスコイルボビン４２２との間に、図７に示される断面形状を有する輪状のダンパー４５０が設けられている。したがって、図４の矢印Ｐに示されるようなゴミ進入経路や、同じく図４の矢印Ｑに示されるようなゴミ進入経路が形成されることがなく、磁気回路４１０のギャップ部４１８に異物が混入する可能性が排除される。
【００３６】
ここで、ダンパー４５０は、板バネ４４０よりも柔軟なものとされている。したがって、ダンパー４５０を追加したことがエキサイタの振動に対して影響を与えることはなく、音響性能は追加前と同様に確保されることとなる。
【００３７】
さらに、図７のエキサイタによれば、前述したように、図４の矢印Ｑに示されるようなゴミ進入経路が形成されることがないため、カプラー４３０は、前述した第二の参考例におけるカプラー１３０と同一のものとしても不具合がなく、すなわち、形状の簡素化、余肉の削除などによりカプラーの軽量化を図って音響性能を改善することが可能となる。
【００３８】
図８は、本発明による内装材直接駆動スピーカ用エキサイタの第四実施形態を示す部分断面図である。磁気回路５１０を構成するヨーク５１２、マグネット５１４、プレート５１６及びギャップ部５１８は、前述した第二の参考例におけるものと同様である。また、ボイスコイル５２０、ボイスコイルボビン５２２、カプラー５３０及び板バネ５４０も、第二の参考例と同様に設けられる。
【００３９】
図８のエキサイタにおいては、板バネ５４０とカプラー５３０との間に、図８に示される断面形状を有するドーナツ状のクッション材５５０が設けられている。したがって、図４の矢印Ｐに示されるようなゴミ進入経路や、同じく図４の矢印Ｑに示されるようなゴミ進入経路が形成されることがなく、磁気回路５１０のギャップ部５１８に異物が混入する可能性が排除される。
【００４０】
ここで、クッション材５５０は、板バネ５４０よりも柔軟なものとされている。したがって、クッション材５５０を追加したことがエキサイタの振動に対して影響を与えることはなく、音響性能は追加前と同様に確保されることとなる。
【００４１】
また、クッション材５５０の発泡倍率は、ボイスコイルボビン５２２が上下動しても、ヨーク５１２に衝突することがないように、すなわち底当りが防止されるように調整されている。
【００４２】
さらに、図８のエキサイタによれば、前述したように、図４の矢印Ｑに示されるようなゴミ進入経路が形成されることがないため、カプラー５３０は、前述した第二の参考例におけるカプラー１３０と同一のものとしても不具合がなく、すなわち、形状の簡素化、余肉の削除などによりカプラーの軽量化を図って音響性能を改善することが可能となる。
【図面の簡単な説明】
【００４３】
【図１】第一の参考例に係る内装材直接駆動スピーカ用エキサイタを示す図であって、（Ａ）は正面図、（Ｂ）はカプラーを除去した正面図、である。
【図２】図１（Ａ）の切断線Ｘ−Ｘに沿う部分断面図である。
【図３】第二の参考例に係る内装材直接駆動スピーカ用エキサイタを示す図であって、（Ａ）は平面図、（Ｂ）は正面図、（Ｃ）は背面図、（Ｄ）は底面図、である。
【図４】図３（Ｂ）の切断線Ｘ−Ｘに沿う断面図である。
【図５】本発明による内装材直接駆動スピーカ用エキサイタの第一実施形態を示す部分断面図である。
【図６】本発明による内装材直接駆動スピーカ用エキサイタの第二実施形態を示す部分断面図である。
【図７】本発明による内装材直接駆動スピーカ用エキサイタの第三実施形態を示す部分断面図である。
【図８】本発明による内装材直接駆動スピーカ用エキサイタの第四実施形態を示す部分断面図である。
【符号の説明】
【００４４】
１０，１１０，２１０，３１０，４１０，５１０…磁気回路
１２，１１２，２１２，３１２，４１２，５１２…ヨーク
１４，１１４，２１４，３１４，４１４，５１４…マグネット
１６，１１６，２１６，３１６，４１６，５１６…プレート
１８，１１８，２１８，３１８，４１８，５１８…ギャップ部
２０，１２０，２２０，３２０，４２０，５２０…ボイスコイル
２２，１２２，２２２，３２２，４２２，５２２…ボイスコイルボビン
３０，１３０，２３０，３３０，４３０，５３０…カプラー
４０，１４０，２４０，３４０，４４０，５４０…板バネ
２５０…ダンパー
３５０…筒
３６０…蓋
４５０…ダンパー
５５０…クッション材
【図１】
2005130186.tif 000003
【図２】
2005130186.tif 000004
【図３】
2005130186.tif 000005
【図４】
2005130186.tif 000006
【図５】
2005130186.tif 000007
【図６】
2005130186.tif 000008
【図７】
2005130186.tif 000009
【図８】
2005130186.tif 000010